(57)【要約】【課題】展開自在でスタンドに変形可能な封筒を提供する。【解決手段】封筒は、展開自在かつスタンドに変形可能な封筒１であって、封筒を展開した状態にて、中央部を横断する第一基準線１１を有する天地面１０、天地面の上方に延出するベロ部２０、ベロ部の上端から突出する係合片２１、天地面の下方に延出しかつ中央を横断する第二基準線３１を有する折返し部３０、天地面の左右側方かつ第一基準線からそれぞれ延出する左右ガイド片４０、５０を有する。この封筒の展開状態から封筒又はスタンドに容易に変形可能である。【選択図】図３
2014114053.tif 000002
【特許請求の範囲】
【請求項１】
展開自在かつスタンドに変形可能な封筒（１）であって、
（Ａ）封筒を展開した状態にて、中央部を横断する第一基準線（１１）を有する天地面（１０）、天地面（１０）の上方に延出するベロ部（２０）、ベロ部（２０）の上端から突出する係合片（２１）、天地面（１０）の下方に延出しかつ中央を横断する第二基準線（３１）を有する折返し部（３０）、天地面（１０）の左右側方かつ第一基準線（１１）からそれぞれ延出する左右ガイド片（４０、５０）を有し、さらに、天地面（１０）と折返し部（３０）との境界かつ係合片（２１）の直下に係合片（２１）を収容し得る長さの第一切開部（１２）と、第二基準線（３１）上かつ係合片（２１）の直下に係合片（２１）を収容し得る長さの第二切開部（３２）とを有し、
（Ｂ）封筒の展開状態から、天地面（１０）上に左右ガイド片（４０、５０）を折返し、その上に折返し部（３０）を折返し、その上にベロ部（２０）を折返し、次いで、係合片（２１）を第二切開部（３２）内に挿入することによって封筒を形成し得、
また、
（Ｃ）封筒の展開状態から、天地面（１０）上に左右ガイド片（４０、５０）を折返し、その反対側に折返し部（３０）を第二基準線（３１）より三角柱を作るように巻き込みながら折返し、三角柱の上に天地面の第一基準線より上段（１３）及びベロ部（２０）を第一基準線（１１）より三角柱を巻き込むように折返し、次いで、係合片（２１）を第一切開部（１２）内に挿入することによってスタンドを形成し得る、
ことを特徴とする、前記封筒。
【請求項２】
左右ガイド片の第一基準線より上段４１、５１の形状は、ほぼ三角形であることを特徴とする、請求項１に記載の封筒。
【請求項３】
ベロ部の最大縦幅（Ａ）及び折返し部の第二基準線より上段の縦幅（Ａ’）と、天地面の第一基準線より上段の縦幅（Ｂ）及び折り返し部の第二基準線より下段の縦幅（Ｂ’）と、天地面の第一基準線より下段の縦幅（Ｃ）との比率は、三角柱の正面と底面との挟角（Ｄ）が４５〜９０°であり、かつ、三角柱の正面と背面との挟角（Ｅ）が３０〜６０°となるように決定される、請求項１又は２に記載の封筒。
【請求項４】
前記封筒内に内容物（Ｘ）が同封されている、請求項１〜３のいずれかに記載の封筒。
【請求項５】
前記内容物（Ｘ）は、カレンダー、メッセージカード、はがき、絵画及び写真からなる群から選ばれる少なくも一種である、請求項４に記載の封筒。
【請求項６】
前記内容物（Ｘ）は、月毎のカレンダーである、請求項５に記載の封筒。
【請求項７】
展開状態からスタンドを組み立てる方法が封筒に記載されている、請求項１〜６のいずれかに記載の封筒。
【発明の詳細な説明】
【技術分野】
【０００１】
本発明は、新規な封筒に関し、より詳細には展開自在かつ封筒の内容物のスタンドに変形可能な封筒に関する。
【背景技術】
【０００２】
従来、カレンダーを封入した封筒を販売促進に用いことが日常茶飯に行われ、また、個人がクリスマスカード、誕生祝等のメッセージカードを封入して知人に送ることが年中行事となっている。これらの封筒は大量に消費されるが、環境配慮の観点から、封筒自体を廃棄前に再利用できることが好ましい。
【０００３】
開封された封筒の有効利用のために、特許文献１には、表面に開口窓を設け、左右の辺には郵便物を包含し、且つ開口できる包含片左と包含片右を、そして裏面の左右の辺には包含片左と包含片右を設け、表面と裏面の下部の辺には伸縮するとじ代を設けた封筒が開示されている。この発明によれば、封筒の機能とカードホルダーの機能を併せ持ち、開封すると立てることができ、卓上カードスタンドとして利用可能である。
【０００４】
しかし、特許文献１の封筒は、窓開き封筒が必要である、組み立てたカードホルダーへカードを装填し難い、ホルダーの安定性がよくない、カードホルダーから封筒への再生が難しい等の点で、あまり使い勝手がよくない。
【先行技術文献】
【特許文献】
【０００５】
【特許文献１】特開２００３−２７６７３９
【発明の開示】
【発明が解決しようとする課題】
【０００６】
上記問題に鑑み、本発明の目的は、展開自在で、封筒から内容物のスタンドに簡易かつ簡便に変形可能な封筒を新規に提供することにある。
【課題を解決するための手段】
【０００７】
本発明者等は、上記課題を鋭意検討した結果、以下の発明によれば上記課題を解決できることを見出し、本発明を完成させた。すなわち、本発明は、展開自在かつスタンドに変形可能な封筒１であって、
（Ａ）封筒を展開した状態にて、中央部を横断する第一基準線１１を有する天地面１０、天地面１０の上方に延出するベロ部２０、ベロ部２０の上端から突出する係合片２１、天地面１０の下方に延出しかつ中央を横断する第二基準線３１を有する折返し部３０、天地面１０の左右側方かつ第一基準線１１からそれぞれ延出する左右ガイド片４０、５０を有し、さらに、天地面１０と折返し部３０との境界かつ係合片２１の直下に係合片２１を収容し得る長さの第一切開部１２と、第二基準線３１上かつ係合片２１の直下に係合片２１を収容し得る長さの第二切開部３２とを有し、
（Ｂ）封筒の展開状態から、天地面１０上に左右ガイド片４０、５０を折返し、その上に折返し部３０を折返し、その上にベロ部２０を折返し、次いで、係合片２１を第二切開部３２内に挿入することによって封筒を形成し得、
また、
（Ｃ）封筒の展開状態から、天地面１０上に左右ガイド片４０、５０を折返し、その反対側に折返し部３０を第二基準線３１より三角柱を作るように巻き込みながら折返し、三角柱の上に天地面の第一基準線より上段１３及びベロ部２０を第一基準線１１より三角柱を巻き込むように折返し、次いで、係合片２１を第一切開部１２内に挿入することによってスタンドを形成し得ることを特徴とする、前記封筒を提供する。
【０００８】
左右ガイド片の第一基準線より上段４１、５１の形状は、ほぼ三角形であることが好ましい。
【０００９】
ベロ部の最大縦幅Ａ及び折返し部の第二基準線より上段の縦幅Ａ’と、天地面の第一基準線より上段の縦幅Ｂ及び折り返し部の第二基準線より下段の縦幅Ｂ’と、天地面の第一基準線より下段の縦幅Ｃとの比率は、三角柱の正面と底面との挟角Ｄが４５〜９０°であり、かつ、三角柱の正面と背面との挟角Ｅが３０〜６０°となるように決定されることが好ましい。
【００１０】
本発明の封筒は、通常、封筒内に内容物が同封されている。
【００１１】
前記内容物は、例えば、カレンダー、メッセージカード、はがき、絵画及び写真からなる群から選ばれる少なくも一種である。
【００１２】
前記内容物は、特に、月毎のカレンダーであることが好ましい。
【００１３】
展開状態からスタンドを組み立てる方法が前記封筒に記載されていることが好ましい。
【発明の効果】
【００１４】
本発明の封筒は、展開可能であり、展開された封筒を折り返すだけで、封筒の内容物のスタンドになる。再組み立てによりスタンドに転用できることは環境に優しい。しかも、封筒の各構成をスタンドの各構成に転用するため、スタンドのために余分なパートを要しない点でも環境に優しい。さらに、スタンドは、再組み立てにより封筒に戻すことも容易である。
【００１５】
封筒時に内容物を支えている左右ガイド片は、スタンドに変形した際の内容物を挿し込むポケット（ホルダー）部を構成すると同時に、スタンド全体の荷重を支える足部分となってスタンドの保護強化に資する。特に、ポケット部の形状がほぼ三角形であると、強度のさらなる向上、内容物Ｘの挿し込み易さ、ポケットの捲れ上がり防止につながる。
【００１６】
本発明の封筒は、封筒を開閉する部分、及びスタンドの形状を固定する部分に関して、紙を突起させた形状と切り込みを使うことで、接着剤等を不要とする。スタンドに変形した際の内容物を挿し込むポケットもまた、左右ガイド片を折り返すだけで内容物を挿入・固定でき、したがって内容物の保持や固定のために接着剤等を使用する必要がない。
【００１７】
カレンダー等の内容物を封入した封筒は、郵便、手渡し等により簡便に流布可能であり、また、接着剤等を使用しないので何度も利用可能である。用途は、クリスマスカード、誕生祝い等のメッセージカードやブロマイド写真や絵画を飾るための個人的な用途から、宣伝付きカレンダーの卓上型ホルダーといった営業用途まで広く存在する。
【図面の簡単な説明】
【００１８】
【図１】本発明の一実施態様の封筒の展開状態の平面図である。
【図２】図１の展開状態から封筒を組み立てる手順を説明する図である。
【図３】図１の展開状態からスタンドを組み立てる手順を説明する図である。
【発明を実施するための形態】
【００１９】
以下に、本発明の封筒の一実施態様を、添付の図面を用いてより詳細に説明する。本発明の封筒１は、図１に示すように、展開自在であり、すなわち、封筒には接着剤等の糊代がない。封筒の材質は、特に制限されないが、通常、紙、板紙、プラスチック等であり得る。好ましくは、郵送時に重量をとらない軽質の紙やプラスチックである。展開状態の面体は、通常、均質であるが、一部を厚化する、二重化するなどの補強がされてもよい。
【００２０】
展開状態から封筒２やスタンド２へ組み立て可能とするため、以下に説明するように、封筒の各部分が、封筒及びスタンドとしての各種機能を受け持つ。まず、封筒１は、内容物Ｘを収納するスペースとしての天地面１０を有する。天地面１０は、その中央部を横断する第一基準線１１を有する。この基準線は、スタンド２を形成する際の折れ線となり、屈曲後にスタンドコーナーとして機能する。第一基準線１１は、予め折られてあってもよく、あるいは、後で折るときの目安として点線、一点鎖線等のマークをつけるだけでもよい。
【００２１】
天地面の第一基準線より上段１３は、スタンド２の形成時に、折返し部の第二基準線より下段３４と密着して三角柱の正面６２を形成する。そのために、天地面の第一基準線より上段の縦幅Ｂは、折返し部の第二基準線より下段の縦幅Ｂ’と一致する。
【００２２】
天地面１０の上方には、ベロ部２０が天地面の上方全体に渡って延出する。ベロ部２０は、封筒１において折返し部３０を上から封止する機能と、スタンド２において三角柱の背面６１を形成する機能とを兼務する。ベロ部の形状は、矩形、台形、楕円形、不定形のいずれでもよい。
【００２３】
ベロ部２０は、スタンド形成時に折返し部の第二基準線より上段３３と重なるために、ベロ部の最大縦幅Ａは、折返し部の第二基準線より上段の縦幅Ａ’と一致する。
【００２４】
ベロ部２０の上端の中央付近に係合片２１が突出する。係合片２１は、封筒１において天地面１０の下端（天地面と折返し部との境界になる）に設けられた第一切開部１２に挿入されて封筒を封止する機能と、スタンド２において折返し部３０の中央に設けられた第二切開部３２に挿入されて三角柱６０の形状を固定化する機能とを兼務する。
【００２５】
天地面１０の下方には全体に渡って折返し部３０が延出する。折り返し部は封筒１の裏面として機能するために、折返し部３０の縦幅（Ａ’とＢ’の合計）は天地面１０の縦幅（Ｂ’とＣの合計）と同じかそれより若干短い。
【００２６】
折返し部３０の中央には、第二基準線３１が横断している。第二基準線の位置は、通常、折返し部３０のほぼ中央であるが、中央よりずれていてもよい。三角柱６０を密着状態で形成するために、折返し部の第二基準線より上段の縦幅Ａ’をベロ部の最大縦幅Ａと一致させ、かつ、折返し部の第二基準線より下段の縦幅Ｂ’を天地面の第一基準線より上段の縦幅Ｂと一致させる。第二基準線３１は、予め折られてあってもよく、あるいは、後で折るために点線、一点鎖線等のマークをつけるだけでもよい。
【００２７】
天地面１０の左右側方であって、第一基準線１１の延長上（すなわち、基準線が被るよう）に、左右ガイド片４０、５０がそれぞれ延出する。左右ガイド片は、封筒１において内容物Ｘが左右側方に飛び出させないための堰となる機能と、スタンド２において内容物Ｘを挿し込むガイドポケットとなる機能を兼務する。さらに、左右ガイド片は、スタンド２の三角柱の正面６２及び底面６３のコーナーを二重にし、この二重化がスタンドの安定化と保護強化に役立つ。
【００２８】
左右ガイド片４０、５０の形状には特に制限がない。好ましくは、左右ガイド片の第一基準線より上段４１、５１が、図１のようにほぼ三角形であると、スタンド２にカレンダー等の内容物Ｘを挿し込み易くする、スタンドの強度をさらに向上させる、そしてポケットの捲り上がりを防止するのに有効である。
【００２９】
左右ガイド片４０、５０の第一基準線より下段４２、５２は、スタンド２の三角柱の底辺をより強化するために、図のように天地面の第一基準線より下段全体にわたって延出するほぼ四角形であることが好ましい。左右ガイド片４０、５０、特に第一基準線より下段４２、５２の厚みを天地面よりも厚くしておくと、スタンドの重心がさらに安定する。
【００３０】
左右ガイド片の第一基準線より下段４２、５２の表面には、例えばシリコーンゴムを貼付するような滑りにくい加工（図示せず）を施しておくよい。この加工が、組み立てたスタンド２の接地面の滑り止めとなって、スタンドのより一層の安定化に役立つ。
【００３１】
天地面１０と折返し部３０との境界には、係合片２１の直下に相当する位置に第一切開部１２が設けられる。第一切開部は、スタンド２の組み立ての際に係合片を挿入して形状を固定する機能を有する。そのために、第一切開部１２の長さは、係合片２１よりも大である。
【００３２】
第二基準線３１上であって、係合片２１の直下には、第二切開部３２が設けられる。第二切開部は、封筒１の組み立ての際に係合片２１を挿入して封筒を封止する機能を有する。そのために、第二切開部１２の長さは、係合片２１よりも大である。
【００３３】
天地面１０、ベロ部２０及び折り返し部３０を包むように折り曲げて形成される三角柱６０の横断面の形状は、正三角形、二等辺三角形、直角三角形、不等辺三角形のいずれもあり得る。三角柱の正面６２と底面６３との挟角度Ｄは、スタンドに支持された内容物Ｘの仰角を意味し、したがって、内容物Ｘの支持性及び視認性の点から重要である。角度Ｄは、通常、４５〜９０°でよく、５０〜８０°の範囲が好ましい。三角柱の正面６２と背面との挟角Ｅは、内容物Ｘの支えとなる点で重要である。角度Ｅは、通常、３０〜６０°でよく、好ましくは３０〜４５°である。三角柱の正面と底面との挟角Ｄ及び三角柱の正面と背面との挟角Ｅがそれぞれ上記角度範囲を満足するように、ベロ部の最大縦幅Ａ及び折返し部の第二基準線より上段の縦幅Ａ’と、天地面の第一基準線より上段の縦幅Ｂ及び折り返し部の第二基準線より下段の縦幅Ｂ’と、天地面の第一基準線より下段の縦幅Ｃとの比率が決定される。
【００３４】
次に、封筒１の展開状態からの封筒の形成方法を、図２を用いて説明する。まず、左右ガイド片４０、５０を天地面１０上に折返す。これにより、封筒の左右側方が封止される。次に、折り返された左右ガイド片上に、折返し部３０を折返す。これにより封筒の底辺が封止される。適宜、内容物Ｘを封筒１に挿入後、折り返された折返し部３０の上にベロ部２０を折返す。これにより封筒１の上辺が封止される。最後に、ベロ部２０から突出した係合片２１を第二切開部３２内に挿入する。これより、封筒が完全に封止される。
【００３５】
次に、封筒の展開状態からのスタンドの形成方法を、図３を用いて説明する。まず、封筒形成方法と同様に、天地面１０上に左右ガイド片４０、５０を折返す。折り返された左右ガイド片とは反対側（すなわち、天地面の裏側）に、折返し部３０を第二基準線３１より巻き込むように折返す。これにより折返し部３０の底辺が天地面の第一基準線に裏側から突き当たる様相で三角柱６０が形成される。このとき、第二基準線より上段３３は、三角柱の背面６１を形成する。
【００３６】
次いで、上記三角柱上に天地面の第一基準線より上段１３及びベロ部２０を第一基準線１１より三角柱６０を巻き込むように折返す。これにより、天地面の第一基準線より上段１３は、折返し部の第二基準線より下段３４と密着して、スタンド２の三角柱の正面６２を補強する。一方、ベロ部２０は、折返し部の第二基準線より上段３３と密着して、三角柱の背面６１を補強する。
【００３７】
最後に、係合片２１を第一切開部１２内に挿入することにより、三角柱を固定化する。これにより、三角柱からなるスタンド２が完成する。完成したスタンド２の正面左右コーナー部６４、６５に形成されたポケットに、カレンダー等の内容物Ｘを挿し込んで、卓上カレンダー等の各種用途に供する。
【００３８】
以上のようにして、スタンド２の組み立てを容易に行うことができるが、封筒の展開状態からスタンド２への変形方法が封筒、例えば展開状態の内面に記載されていると、スタンド２をさらに容易に組み立てることができる。
【００３９】
本発明の封筒及びスタンドの用途は、封筒に同封される内容物Ｘに依存する。内容物Ｘは、自立性を確保できる厚みを有する面体であれば、特に制限されない。内容物Ｘは、そのまま、展開状態あるいは折りたたんだ状態で、その両下端をスタンド２のコーナー部６４、６５のポケットに挿入できればよい。
【００４０】
内容物Ｘの具体例としては、カレンダー、メッセージカード（クリスマスカード、誕生祝い等）、はがき、絵画、記念写真、ブロマイド等が挙げられる。特に、封筒の内容物が月毎のカレンダーであると、封筒から組み立てたスタンドを月替わりのカレンダーとして利便に使用できる。
【符号の説明】
【００４１】
１                 封筒
２                 スタンド
１０               天地面
１１               第一基準線
１２               第一切開部
１３               天地面の第一基準線より上段
１４               天地面の第一基準線より下段
２０               ベロ部
２１               係合片
３０               折返し部
３１               第二基準線
３２               第二切開部
３３               折返し部の第二基準線より上段
３４               折返し部の第二基準線より下段
４０、５０         左右ガイド片
４１、５１         左右ガイド片の第一基準線より上段
４２、５２         左右ガイド片の第一基準線より下段
６０               三角柱
６１               三角柱の背面
６２               三角柱の正面
６３               三角柱の底面
６４、６５         三角柱コーナー部
Ａ                ベロ部の最大縦幅
Ａ’               折返し部の第二基準線より上段の縦幅
Ｂ                 天地面の第一基準線より上段の縦幅
Ｂ’               折り返し部の第二基準線より下段の縦幅
Ｃ                 天地面の第一基準線より下段の縦幅
Ｄ                三角柱の正面と底面との挟角
Ｅ                 三角柱の正面と背面との挟角
Ｘ                 カレンダー等の内容物
【図１】
2014114053.tif 000003
【図２】
2014114053.tif 000004
【図３】
2014114053.tif 000005